(57)【要約】【課題】  オーディオファイル再生装置１０において、ユーザに不快感を与えることを回避しつつ、オーディオファイル名を発声する。【解決手段】  オーディオファイルの保管場所としての複数個のフォルダが記録媒体内に存在し、記録媒体内ランダム再生と通常再生との再生機能を装備している。フォルダ名発声手段１１は、切替前の再生オーディオファイルと切替後の再生オーディオファイルとが属するフォルダに切替わりがあるときは、切替後の再生オーディオファイルが属するフォルダのフォルダ名を発声する。発声制御手段１４は、通常再生指示の場合には、フォルダ名発声手段１１の作動を有効にする。発声制御手段１４は、また、記録媒体内ランダム再生指示の場合には、フォルダ名発声手段１１の作動を無効にする。【選択図】      図３
2006179143.tif 000002
【特許請求の範囲】
【請求項１】
オーディオファイルの保管場所としての複数個のフォルダが記録媒体内に存在し、記録媒体内ランダム再生と通常再生との再生機能を装備し、前記記録媒体内ランダム再生では、前記記録媒体内に記録されている複数個のオーディオファイルの中から１個のオーディオファイルをランダムに選択してそれを再生することを繰り返すようになっており、また、通常再生では、前記記録媒体内に記録されている各オーディオファイルに対して予め付与されている順番に従い１個ずつ再生するようになっているオーディオファイル再生装置において、
再生オーディオファイルを切替える場合に切替前の再生オーディオファイルと切替後の再生オーディオファイルとが属するフォルダに切替わりがあるときは再生オーディオファイルの切替に先立ち、切替後の再生オーディオファイルが属するフォルダのフォルダ名を発声するフォルダ名発声手段、
通常再生が指示されていることを検出する通常再生指示検出手段、
記録媒体内ランダム再生が指示されていることを検出する記録媒体内ランダム再生指示検出手段、及び
通常再生指示の場合には前記フォルダ名発声手段の作動を有効にし記録媒体内ランダム再生指示の場合には前記フォルダ名発声手段の作動を無効にする発声制御手段、
を有していることを特徴とするオーディオファイル再生装置。
【請求項２】
記録媒体内ランダム再生期間にユーザからのフォルダ名発声の実施及び非実施の切替指示を受付ける切替指示受付手段、及び
前記切替指示受付け手段が受付けたユーザからの実施及び非実施の切替指示に基づき記録媒体内ランダム再生期間における前記フォルダ名発声手段によるフォルダ名発声の無効を解除及び再開する前記発声制御手段、
を有していることを特徴とする請求項１記載のオーディオファイル再生装置。
【請求項３】
記録媒体内ランダム再生期間においてフォルダ切替わり前のフォルダにおけるオーディオファイルの連続再生時間が所定値以上であるときは、フォルダ切替わり後のフォルダについて前記フォルダ名発声手段の作動を有効にする前記発声制御手段、
を有していることを特徴とする請求項１又は２記載のオーディオファイル再生装置。
【請求項４】
記録媒体内ランダム再生期間においてフォルダ切替わり前のフォルダにおけるオーディオファイルの連続再生個数がＮ（Ｎ≧２）個以上であるときは、フォルダ切替わり後のフォルダについて前記フォルダ名発声手段の作動を有効にする前記発声制御手段、
を有していることを特徴とする請求項１〜３のいずれかに記載のオーディオファイル再生装置。
【請求項５】
記録媒体内ランダム再生期間においてフォルダ切替わり前のフォルダに対するフォルダ切替わり後のフォルダが、親フォルダであるか、子フォルダであるか、及び／又は兄弟フォルダであるかに基づき前記フォルダ名発声手段の作動無効を解除する前記発声制御手段、
を有していることを特徴とする請求項１〜４のいずれかに記載のオーディオファイル再生装置。
【請求項６】
オーディオファイルの保管場所としての複数個のフォルダが記録媒体内に存在し、記録媒体内ランダム再生と通常再生との再生機能を装備し、前記記録媒体内ランダム再生では、前記記録媒体内に記録されている複数個のオーディオファイルの中から１個のオーディオファイルをランダムに選択してそれを再生することを繰り返すようになっており、また、通常再生では、前記記録媒体内に記録されている各オーディオファイルに対して予め付与されている順番に従い１個ずつ再生するようになっているオーディオファイル再生装置の制御方法において、
再生オーディオファイルが切替わったか否かのオーディオファイル切替わり判定を実行するオーディオファイル切替わり判定ステップ、
前記オーディオファイル切替わり判定の結果が正である場合には切替わり前の再生オーディオファイルと切替後の再生オーディオファイルとが属するフォルダに切替わりがあるか否かのフォルダ切替わり判定を実行するフォルダ切替わり判定ステップ、
現在の再生処理が通常再生指示によるものであるか否かの通常再生判定を実行する通常再生判定ステップ、
現在の再生処理が記録媒体内ランダム再生指示によるものであるか否かの記録媒体内ランダム再生判定を実行する記録媒体内ランダム再生判定ステップ、
前記フォルダ切替わり判定及び前記通常再生判定が共に正であれば、フォルダ切替わり後のフォルダのフォルダ名の発声処理を有効にするフォルダ名発声処理有効化ステップ、及び
前記フォルダ切替わり判定及び前記記録媒体内ランダム再生判定が共に正であれば、フォルダ切替わり後のフォルダのフォルダ名の発声処理を無効にするフォルダ名発声処理無効化ステップ、
を有していることを特徴とするオーディオファイル再生装置の制御方法。
【請求項７】
請求項１〜５のいずれかに記載のオーディオファイル再生装置の各手段としてコンピュータを機能させるためのプログラム。
【発明の詳細な説明】
【技術分野】
【０００１】
本発明は、オーディオファイルを再生するオーディオファイル再生装置、制御方法及びプログラムに係り、詳しくは記録媒体内ランダム再生機能を装備するオーディオファイル再生装置、制御方法及びプログラムに関するものである。
【背景技術】
【０００２】
特許文献１，２は、オーディオファイルをフォルダで管理可能にオーディオファイルを記録している記録媒体に対し、オーディオファイルをフォルダ単位で再生する再生装置を開示する。
【０００３】
特許文献３は、ＭＤプレーヤ等の音楽再生装置において、再生開始する楽曲について楽曲名その他の管理情報を発声することを開示する。
【０００４】
所定の公知再生装置は、通常再生及びフォルダ内ランダム再生に加えて、記録媒体内ランダム再生の機能を装備するものがある。通常再生では、記録媒体内に記録されている各オーディオファイルに対して予め付与されている順番に従い１個ずつ再生するようになっている。フォルダ内ランダム再生及び記録媒体内ランダム再生では、それぞれフォルダ内及び記録媒体内から、１個のオーディオファイルをランダムに選択してそれを再生することを繰り返すようになっている。
【０００５】
公知再生装置では、オーディオファイルの再生期間では、再生オーディオファイルの属するフォルダが切替わるごとに、切替わり後のフォルダのフォルダ名が一律に発声されていた。
【特許文献１】特開２００１−１３３７８４公報
【特許文献２】特開２００３−２８１８５８公報
【特許文献３】特開２００１−２１００６５公報
【発明の開示】
【発明が解決しようとする課題】
【０００６】
オーディオファイルの再生中、フォルダの切替わりがあると、切替わり後のフォルダのフォルダ名を発声することは、ユーザにとって有益な情報提供になるが、フォルダの切替わりが頻繁に起きる場合、ユーザは、逆に不快感をもつことがある。
【０００７】
本発明の目的は、オーディオファイルの再生に関して、ユーザへの有益情報の供与を確保しつつ、不快感を与える惧れのある過剰な情報供与を慎むオーディオファイル再生装置、制御方法及びプログラムを提供することである。
【課題を解決するための手段】
【０００８】
本発明のオーディオファイル再生装置は、オーディオファイルの保管場所としての複数個のフォルダが記録媒体内に存在し、記録媒体内ランダム再生と通常再生との再生機能を装備する。記録媒体内ランダム再生では、記録媒体内に記録されている複数個のオーディオファイルの中から１個のオーディオファイルをランダムに選択してそれを再生することを繰り返すようになっており、また、通常再生では、記録媒体内に記録されている各オーディオファイルに対して予め付与されている順番に従い１個ずつ再生するようになっている。
【０００９】
本発明のオーディオファイル再生装置は次の手段を有している。
再生オーディオファイルを切替える場合に切替前の再生オーディオファイルと切替後の再生オーディオファイルとが属するフォルダに切替わりがあるときは再生オーディオファイルの切替に先立ち、切替後の再生オーディオファイルが属するフォルダのフォルダ名を発声するフォルダ名発声手段、
通常再生が指示されていることを検出する通常再生指示検出手段、
記録媒体内ランダム再生が指示されていることを検出する記録媒体内ランダム再生指示検出手段、及び
通常再生指示の場合にはフォルダ名発声手段の作動を有効にし記録媒体内ランダム再生指示の場合にはフォルダ名発声手段の作動を無効にする発声制御手段。
【００１０】
本発明のオーディオファイル再生装置の制御方法は次のステップを有している。
再生オーディオファイルが切替わったか否かのオーディオファイル切替わり判定を実行するオーディオファイル切替わり判定ステップ、
オーディオファイル切替わり判定の結果が正である場合には切替わり前の再生オーディオファイルと切替後の再生オーディオファイルとが属するフォルダに切替わりがあるか否かのフォルダ切替わり判定を実行するフォルダ切替わり判定ステップ、
現在の再生処理が通常再生指示によるものであるか否かの通常再生判定を実行する通常再生判定ステップ、
現在の再生処理が記録媒体内ランダム再生指示によるものであるか否かの記録媒体内ランダム再生判定を実行する記録媒体内ランダム再生判定ステップ、
フォルダ切替わり判定及び通常再生判定が共に正であれば、フォルダ切替わり後のフォルダのフォルダ名の発声処理を有効にするフォルダ名発声処理有効化ステップ、及び
フォルダ切替わり判定及び記録媒体内ランダム再生判定が共に正であれば、フォルダ切替わり後のフォルダのフォルダ名の発声処理を無効にするフォルダ名発声処理無効化ステップ。
【００１１】
本発明のプログラムは、前述のオーディオファイル再生装置の各手段としてコンピュータを機能させるものである。あるいは、本発明のプログラムは、前述のオーディオファイル再生装置の制御方法の各ステップをコンピュータに実行させるものである。
【発明の効果】
【００１２】
本発明によれば、オーディオファイル再生期間にフォルダ切替わりが起きた場合には、それをフォルダ名発声によりユーザに通知して、ユーザの便に供することができるとともに、フォルダが頻繁に切替わり、ユーザに聞き煩わしさを与えるようなフォルダ名発声を抑制することができる。
【発明を実施するための最良の形態】
【００１３】
図１はＣＤ−Ｒ再生装置１００の主要部概略構成図である。ＣＤ−Ｒ１０１には、ユーザがパソコンのオーディオファイル用オーサリングソフトを使って編集したオーディオファイルが書き込まれている。ＣＤ−Ｒ１０１は、ＣＤ−Ｒ再生装置１００においてチャッキング中は、ターンテーブル（図示せず）に載置されるとともに、上側からクランパ（図示せず）によりターンテーブルに押圧される。スピンドルモータ１０３はターンテーブルを回転駆動する。光ピックアップ１０５は、スレッドモータ１１１によりＣＤ−Ｒ１０１の径方向へ移動自在にＣＤ−Ｒ１０１の下方に配設され、対物レンズ１０６及び電磁コイル１０７を有している。電磁コイル１０７は、サーボ回路１２８からのサーボ信号に基づき対物レンズ１０６を軸方向及びＣＤ−Ｒ１０１のトラック幅方向へ振らし、対物レンズ１０６からのレーザ光１０８はＣＤ−Ｒ１０１に所定部位に照射され、光ピックアップ１０５は、ＣＤ−Ｒ１０１からの反射光に基づきＲＦ信号を生成する。スレッドモータ１１１は、サーボ信号に基づき光ピックアップ１０５をＣＤ−Ｒ１０１の径方向の所望位置へ移動させる。
【００１４】
光ピックアップ１０５から出力されるＲＦ信号は、ＲＦアンプ１１６において増幅されてから、デジタル信号処理回路１１７へ入力され、デジタル信号処理回路１１７において、復調、解凍及び復号等の処理を受ける。デジタル信号処理回路１１７は、ＲＦアンプ１１６からの入力信号に基づき抽出したデジタルオーディオ信号をＤＡＣ（デジタル−アナログ変換器）へ送り、ＤＡＣは、ＲＦアンプ１１６からのデジタルオーディオ信号をアナログオーディオ信号へ変換する。該アナログオーディオ信号は、アンプ（図示せず）により増幅された後、オーディオとしてスピーカ（図示せず）から放音される。
【００１５】
システムコントローラ１２０は、ユーザにより操作される操作部１２１からユーザ指示を受付けるとともに、デジタル信号処理回路１１７から所定の情報を入力され、これらユーザ指示や入力情報に基づきデジタル信号処理回路１１７、表示部１２２及びサーボ回路１２８へ制御信号や所定のデータ信号を出力する。システムコントローラ１２０は、リモコン式のものであってもよい。メモリ１２３は、システムコントローラ１２０の処理に使用されるデータをシステムコントローラ１２０が読出し自在に一時書込みされる。サーボ回路１２８は、ＲＦアンプ１１６からのＲＦ信号及びシステムコントローラ１２０からの制御信号に基づき各種サーボ信号を生成し、それらをスピンドルモータ１０３、光ピックアップ１０５及びスレッドモータ１１１へ送出する。
【００１６】
図２はＣＤ−Ｒ１０１に設定されているフォルダのツリー構造を例示している。Ａ，Ｂ，・・・Ｅはフォルダ名を意味している。トラック（Ｔｒａｃｋ）１，トラック２，・・・は、オーディオファイル名を意味している。なお、ここで、親フォルダ、子フォルダ及び兄弟フォルダについて以下のように定義する。親フォルダとは、或るフォルダを基準とした場合に、該或るフォルダに対して階層が１個上であり、かつ該或るフォルダを内に含んでいるフォルダと、定義する。子フォルダとは、或るフォルダを基準とした場合に、該或るフォルダに対して階層が１個下であり、かつ該或るフォルダの内に含まれているフォルダと、定義する。兄弟フォルダとは、親フォルダを共通にし、かつ階層が同一である複数のフォルダと、定義する。図２において、例えば、フォルダＡはフォルダＢの親フォルダであり、フォルダＢはフォルダＡの子フォルダであり、フォルダＡ，Ｃ，Ｄは兄弟フォルダである。
【００１７】
オーディオファイルには、例えば、ＭＰ３やＷＭＡのファイルが含まれる。親フォルダが異なれば、同一名の子フォルダが定義可能である。ルートは一般的にフォルダには該当しないが、後述のフォルダ名のテキスト発声の場合には、ルートもフォルダと同じく、フォルダ名「ルート」として発声されてもよいとする。該ＣＤ−Ｒ１０１では、それに設定されているフォルダ、及び記録されているオーディオファイルに所定の順位が付けられており、オーディオファイルの再生時やフォルダの検索操作時では、該順位に基づき該当の処理が行われるようになっている。
【００１８】
図３はオーディオファイル再生装置１０の機能ブロック図である。前述のＣＤ−Ｒ再生装置１００（図２）はオーディオファイル再生装置１０の一例である。オーディオファイル再生装置１０は特に車載型オーディオファイル再生装置を含む。前述のＣＤ−Ｒ１０１（図２）は記録媒体の一例である。オーディオファイル再生装置１０における記録媒体は、ＣＤ−Ｒ及びＤＶＤ−Ｒ等の書込み可能の光ディスクの外、ハードディスクやＩＣメモリ等も含む。オーディオファイル再生装置１０は、フォルダ名発声手段１１、通常再生指示検出手段１２、記録媒体内ランダム再生指示検出手段１３、発声制御手段１４及び切替指示受付手段１５を有している。オーディオファイル再生装置１０では、オーディオファイルの保管場所としての複数個のフォルダが記録媒体内に存在し、記録媒体内ランダム再生と通常再生との再生機能を装備している。記録媒体内ランダム再生では、記録媒体内に記録されている複数個のオーディオファイルの中から１個のオーディオファイルをランダムに選択してそれを再生することを繰り返すようになっている。通常再生では、記録媒体内に記録されている各オーディオファイルに対して予め付与されている順番に従い１個ずつ再生するようになっている。
【００１９】
フォルダ名発声手段１１は、再生オーディオファイルを切替える場合に、切替前の再生オーディオファイルと切替後の再生オーディオファイルとが属するフォルダに切替わりがあるときは、再生オーディオファイルの切替に先立ち、切替後の再生オーディオファイルが属するフォルダのフォルダ名を発声する。通常再生指示検出手段１２は、通常再生が指示されていることを検出する。記録媒体内ランダム再生指示検出手段１３は、記録媒体内ランダム再生が指示されていることを検出する。発声制御手段１４は、通常再生指示の場合には、フォルダ名発声手段１１の作動を有効にする。発声制御手段１４は、また、記録媒体内ランダム再生指示の場合には、フォルダ名発声手段１１の作動を無効にする。
【００２０】
オーディオファイル再生装置１０は、通常再生及び記録媒体内ランダム再生の他に、フォルダ内ランダム再生等、他の再生処理機能を装備することができる。フォルダ内ランダム再生処理では、フォルダの切替わりが起こらないので、フォルダ内ランダム再生期間ではフォルダ名の発声は当然に行なわれない。これに対し、記録媒体内ランダム再生では、通常、再生オーディオファイルを切替えるごとに、フォルダも切替わる。フォルダ名の発声は、具体的には、フォルダ名のテキストを周知のテキスト読み上げソフトへ渡すことにより、実現される。
【００２１】
こうして、オーディオファイル再生期間にフォルダ切替わりが起きた場合には、それをフォルダ名発声によりユーザに通知して、ユーザの便に供しつつ、フォルダが頻繁に切替わり、ユーザに聞き煩わしさを与えるようなフォルダ名発声は抑制される。なお、通常再生、記録媒体内ランダム再生及びフォルダ内ランダム再生において、現在、再生中のオーディオファイルが属しているフォルダ名を、フォルダ切替わり時のフォルダ名発声処理に併行して、表示器に表示することが好ましい。
【００２２】
オーディオファイル再生装置１０には、ユーザが手動でフォルダ名発声の有効化及び無効化を切替えるための操作キーを装備できる。ユーザが該操作キーによりフォルダ名発声の有効化及び無効化を指示すると、該指示は、オーディオファイル再生装置１０によるフォルダ名発声の有効及び無効の自動切替より優先されることが好ましい。また、該操作キーの指示は、通常再生処理及び記録媒体内ランダム再生処理に先立ち受付けられるだけでなく、通常再生処理期間中及び記録媒体内ランダム再生処理期間中に受付け可能になっている。さらに、該操作キーは、通常再生用と、記録媒体内ランダム再生とに、それぞれ別個に設けることもできる。
【００２３】
このような操作キーを使用したオーディオファイル再生装置１０の具体例では、切替指示受付手段１５は、記録媒体内ランダム再生期間にユーザからのフォルダ名発声の実施及び非実施の切替指示を受付ける。発声制御手段１４は、切替指示受付手段１５が受付けたユーザからの実施及び非実施の切替指示に基づき記録媒体内ランダム再生期間におけるフォルダ名発声手段１１によるフォルダ名発声の無効を解除及び再開する。
【００２４】
再生時間はオーディオファイルごとに異なっている。また、記録媒体内の全フォルダ数が少ない場合には、記録媒体内ランダム再生中、フォルダの切替わり頻度が低下し、同一のフォルダ内の異なるオーディオファイルが連続して再生されることが起こり易くなる。このような場合には、フォルダ切替わり時には、ユーザには、フォルダ名発声に因る不快感の不利益よりも、フォルダ切替わり情報供与の利益の方が大きいことがある。これに対処するために、フォルダ名発声手段１１は、記録媒体内ランダム再生期間においてフォルダ切替わり前のフォルダにおけるオーディオファイルの連続再生時間が所定値以上であるときは、フォルダ切替わり後のフォルダについてフォルダ名発声手段１１の作動を有効にする。また、フォルダ名発声手段１１は、記録媒体内ランダム再生期間においてフォルダ切替わり前のフォルダにおけるオーディオファイルの連続再生個数がＮ（Ｎ≧２）個以上であるときは、フォルダ切替わり後のフォルダについてフォルダ名発声手段１１の作動を有効にする。
【００２５】
ユーザは、フォルダの木構造が複雑になると、ユーザは、深層の方のフォルダに記録されているオーディオファイルを忘れたり、普段の再生は特定のフォルダ内のオーディオファイルに集中し、他のフォルダ内のオーディオファイルの存在を忘れていることがある。記録媒体内ランダム再生により、そのような忘れていたオーディオファイルが見つかるなど、ユーザに有益なことがある。これに対処するために、発声制御手段１４は、記録媒体内ランダム再生期間においてフォルダ切替わり前のフォルダに対するフォルダ切替わり後のフォルダが、親フォルダであるか、子フォルダであるか、及び／又は兄弟フォルダであるかに基づきフォルダ名発声手段１１の作動無効を解除する。
【００２６】
図４はオーディオファイル再生装置用制御方法３０のフローチャートである。Ｓ３１では、再生オーディオファイルが切替わったか否かのオーディオファイル切替わり判定を実行する。Ｓ３１の判定が正であれば、Ｓ３２へ進み、否であれば、オーディオファイル再生装置用制御方法３０を終了する。Ｓ３２では、切替わり前の再生オーディオファイルと切替後の再生オーディオファイルとが属するフォルダに切替わりがあるか否かのフォルダ切替わり判定を実行する。Ｓ３２の判定が正であれば、Ｓ３３へ進み、否であれば、オーディオファイル再生装置用制御方法３０を終了する。Ｓ３３では、現在の再生処理が通常再生指示によるものであるか否かの通常再生判定を実行する。Ｓ３４では、現在の再生処理が記録媒体内ランダム再生指示によるものであるか否かの記録媒体内ランダム再生判定を実行する。
【００２７】
Ｓ３５は、Ｓ３３の判定が正であるときに、実行され、Ｓ３５では、フォルダ切替わり後のフォルダのフォルダ名の発声処理を有効にする。Ｓ３６は、Ｓ３４の判定が正であるとき、実行され、Ｓ３６では、フォルダ切替わり後のフォルダのフォルダ名の発声処理を無効にする。
【００２８】
オーディオファイル再生装置用制御方法３０の具体例では、切替指示受付ステップが、Ｓ３４の実行に先立ち、実行されてもよい。該ステップでは、記録媒体内ランダム再生期間にユーザからのフォルダ名発声の実施及び非実施の切替指示を受付ける。そして、Ｓ３４では、切替指示受付ステップにおけるユーザからの実施及び非実施の切替指示に基づき記録媒体内ランダム再生期間におけるフォルダ名発声の無効を解除及び再開する。
【００２９】
Ｓ３４では、次のサブ判定処理を含ませることができる。すなわち、記録媒体内ランダム再生期間においてフォルダ切替わり前のフォルダにおけるオーディオファイルの連続再生時間が所定値以上であるか否かのサブ判定である。該サブ判定が正であるときは、Ｓ３４の次の処理は、Ｓ３６に代えて、Ｓ３５となる。
【００３０】
Ｓ３４では、次のサブ判定処理を含ませることができる。すなわち、記録媒体内ランダム再生期間においてフォルダ切替わり前のフォルダにおけるオーディオファイルの連続再生個数がＮ（Ｎ≧２）個以上であるか否かのサブ判定である。該サブ判定が正であるときは、Ｓ３４の次の処理は、Ｓ３６に代えて、Ｓ３５となる。
【００３１】
Ｓ３４では、次のサブ判定処理を含ませることができる。すなわち、記録媒体内ランダム再生期間においてフォルダ切替わり前のフォルダに対するフォルダ切替わり後のフォルダが、親フォルダであるか、子フォルダであるか、及び／又は兄弟フォルダであるか否かのサブ判定である。該サブ判定が正であるときは、Ｓ３４の次の処理は、Ｓ３６に代えて、Ｓ３５となる。
【００３２】
オーディオファイル再生装置１０及びオーディオファイル再生装置用制御方法３０はコンピュータプログラムにより実現可能である。その場合、該プログラムは、オーディオファイル再生装置１０の各手段としてコンピュータを機能させ、又は、オーディオファイル再生装置用制御方法３０の各ステップをコンピュータに実行させる。
【図面の簡単な説明】
【００３３】
【図１】ＣＤ−Ｒ再生装置の主要部概略構成図である。
【図２】ＣＤ−Ｒに設定されているフォルダのツリー構造を例示す図である。
【図３】オーディオファイル再生装置の機能ブロック図である。
【図４】オーディオファイル再生装置用制御方法のフローチャートである。
【符号の説明】
【００３４】
１０：オーディオファイル再生装置、１１：フォルダ名発声手段、１２：通常再生指示検出手段、１３：記録媒体内ランダム再生指示検出手段、１４：発声制御手段、１５：切替指示受付手段、３０：オーディオファイル再生装置用制御方法。
【図１】
2006179143.tif 000003
【図２】
2006179143.tif 000004
【図３】
2006179143.tif 000005
【図４】
2006179143.tif 000006